(57)【要約】      （修正有）【課題】活火山のマグマ熱で、蒸気タービンを起動させ、発電機で電力を供給するマグマ発電システムを提供する。【解決手段】ロケット型カプセル内の先端部室に沸騰水室を設け、この先端部をマグマ溜まりに挿設し沸騰水を発生させ、一部の沸騰水は次の部室、細管部で一層加熱されるため沸騰水は熱水蒸気になり、次にタービン室に送り、タービン羽を回転させて連動する発電機が可動し電気が生産される。山頂の掘削巻上げ機を支点とするカプセル側と荷重バケット側を鋼索で連結する天秤理論を活用してカプセル本体をマグマ溜まりまで降下させる、微作動は山頂掘削巻上げ機設備で作動させる。予知される非常時にはバケット荷重を加増する事でカプセル急上昇の補佐が出来る。【選択図】図１１
0003173420.tif 000002
【実用新案登録請求の範囲】
【請求項１】
ロケット形カプセル内にタービンと、発電機、その他を内設し、安定火山のマグマ溜まり熱源を利用して高圧蒸気を発生させ、タービン発電をする
可動設備と重量カプセル本体を天秤作用で昇降可動を軽減させる請求範囲。
【考案の詳細な説明】
【技術分野】
【０００１】安定的な活火山の火口より蒸気タービン及び発電機その他をカプセルに内設する、カプセルを鋼索で連結、沸騰水室と細管室をマグマ溜まりに挿設し、マグマ熱源で高圧水蒸気を発生させ、タービンと発電機を起動させて電気を作り連結管内を通し変電施設に送電する、マグマ熱を利用したカプセル発電の技術分野である。
【背景技術】
【０００２】従来は、水力発電、火力発電、原子力発電、太陽光発電、風力発電、地熱発電、その他の技術がある。
【考案の概要】
【考案が解決しようとする課題】
【０００３】安価な原価発電を追求する課題
【課題を解決するための手段】
【０００４】カプセル内の下先端部には沸騰水室、その上に細管室、その上に高圧水蒸気室、その上にタービン室、次に発電機室、複水室、次に制御室、次に火口山頂までカプセルを連結する連結管、連結管内は送水管、空調管、送電管、操作制御管など下先端部から部室順に火口山頂で組み立て連結管及び鋼索を連結し張設しながら降下させマグマ溜まり熱源に、沸騰水室付近まで挿設する。
カプセル壁は二層構造で外周壁は耐熱鋼材（耐酸化性、耐食性、高熱強度の良い）を用いる、カプセル下先端部の沸騰水室と細管室で発生させた水蒸気を高圧水蒸気室に溜め、順次、水蒸気をタービン室に送るとタービンが回転し、連動する発電機が追従することで発電され地上に送電される手段である。【０００５】頂上よりカプセル本体に連結管を継ぎ足して、マグマ溜まりに向け鋼索を張設降下させる、カプセルの上部、中間部、下部にマグマ熱測定センサーを設け、頂上で温度管理の基に適正位置まで昇降操作する。
カプセル本体と連結管の総重量で、マグマ溜まりの表層を破砕する、破砕が不能な時は頂上の別の掘削機でマグマの表層を掘削する、掘削後はカプセルの沸騰水室をマグマ溜まり熱源まで挿設する、以後水は高温に沸騰し、高圧水蒸気室に入りタービン室に送られ、タービンと発電機を連動回転させ電気が発電される。
高圧水蒸気室より制御室のカプセル内壁は断熱材を設け、同様にカプセル外周壁も二層の壁で、その他の断熱効果の物も検討する、カプセル接地面の左右斜突起翼を設っけてカプセルの平衡性を保つ。【０００６】細管は上部に開放弁を設け加圧蒸気を噴出し高圧水蒸気室に充填される。
又連結管内の送電管と各種制御ケーブル、その他は送電管と別管に通す。
発電機で発電された電気は送電管内の送電線にて地上変電施設に送電される。
増減するマグマ溜まりは、地上モニターとマグマ熱測定センサーの測定で判断し、カプセルに連結された複数本の鋼索で昇降を行い高圧水蒸気室のマグマ溜まり熱源の適正位置を張設する。山頂末端の鋼索は、掘削巻き上げ機を通し麓方向の傾斜地に数本のレールを設置し、トロッコバケットに鋼索を接続し、カプセルの接地抵抗を、考慮し重量物を入れる、（重量物は土、岩石、溶岩、水、その他）カプセル及び連結管の昇降作動の軽減工夫である。カプセルとトロッコバケットの位置と挿入深度位置が決定した時点で、車輪固定停め及び掘削機巻上げドラムの静止策を取る。
微動の昇降操作は火口頂上の掘削巻上げ機で操作する。
【考案の効果】
【０００７】マグマ熱源を利用するため、電力生産コストが安価である。
太陽光発電、風力発電と異なり、常時稼動でき稼働率が良い。
水力発電、火力発電、原子力発電に比べ初期投資が安価に成る。
設備の発電量は劣るが同発電機比較とする発電量は変わらない。
安定的活火山の大小に合わせ、小型から大型までの機種に対処し易い。
【考案を実施するための形態】
【０００８】以下考案の実施形態を説明する。
火山活動の安定的なマグマ熱源を利用する発電設備である。ロケット形体で作用部分ごとに帳壁が分列する、カプセル外壁は材質の異なる二層鋼で（外壁にインコネル材又はその他耐熱材）高圧水蒸気室より制御室は、内壁に断熱材を装着する、下から部室順に、１．沸騰水室はマグマ熱から加熱されて、２．細管室で高熱水蒸気になり加圧機で、３．タービン室に送りタービンが回転する、４．発電機も追従回転し電気が生産される、５．タービンから出た蒸気水は復水室に帰着し復水は沸騰水室に給送する６、制御室は各設備機器を作動制御する、給水、空調は山頂から連結管で補給する。
鋼索と連結管を継ぎ足し、マグマ熱溜まりまでカプセル沸騰水室を降下させる。
安定的マグマ熱温度は３００度〜６００度と思われる、細管室はマグマ熱で加熱し熱水蒸気を発生させ、加圧機でタービン室に送り、発電機を回す実施形態である。
【図面の簡単な説明】
【０００９】
【図１】本考案カプセル内の配設を示す平面図です。
【符号の説明】
【００１０】  １，マグマ熱測定センサー
２，沸騰水室
３，給水開閉弁
４，インコネル外壁
５，細管開放弁
６，過圧蒸気開放弁
７，高圧水蒸気室
８，タービン室開閉弁
９，タービン室
１０，タービン蒸気過圧弁
１１，断熱材
１２，給送管
１３，発電機室
１４，複水管、
１５，複水室
１６，制御室
１７，末端壁
１８，送電管
１９，連結管
２０，インコネル壁
２１，帳壁
２２，熱水調節弁
２３，細管室
２４，インコネル外壁
２５，沸騰過圧開放弁
２６，帳壁
２７，タービン羽
２８，マグマ熱測定センサー
２９，タービン軸
３０，帳壁
３１，伝動歯車
３２，発電機
３３，複水管
３４，帳壁
３５，マグマ熱測定センサー
３６，給送管
３７，制御室壁
３８，空調管
３９，鋼索
0003173420.tif 000003
0003173420.tif 000004
0003173420.tif 000005
【手続補正書】
【提出日】平成23年9月5日(2011.9.5)
【手続補正１】
【補正対象書類名】実用新案登録請求の範囲
【補正対象項目名】全文
【補正方法】変更
【補正の内容】
【実用新案登録請求の範囲】
【請求項１】
火力発電ボイラー装置形態を、マグマ発電のカプセル先端部に水室を設けマグマ溜まりに挿設しマグマ熱で蒸気を生産充填し、圧力蒸気をタービンに送り連動する発電機で電気を生産するマグマ発電と、山頂に設置する掘削巻き上げ機を支点とし麓側傾斜地に軌道設備をしたバケット荷重トロッコとマグマ発電のカプセルを鋼索連結し天秤作用でマグマ発電のカプセル昇降移動の巻き上げ機の力量を軽減助勢する請求範囲。
【手続補正２】
【補正対象書類名】明細書
【補正対象項目名】全文
【補正方法】変更
【補正の内容】
【考案の詳細な説明】
【技術分野】
【０００１】活火山のマグマ熱でタービン発電をする発電設備である。
【背景技術】
【０００２】従来は、水力発電、火力発電、原子力発電、太陽光発電、風力発電、地熱発電、海流発電、バイオマス発電の技術がある。
【考案の概要】
【考案が解決しようとする課題】
【０００３】安価な原価発電の追求と原子力発電の補足開発を目的とする課題。
【課題を解決するための手段】
【０００４】融解温度（２００°〜１０００°範囲のマグマ熱に）マグマ発電のカプセルに内設の（２）水室をマグマ溜まりに挿設すると高熱水ができ、細管部にもマグマ熱が伝り細管より噴出する熱水蒸気を（７）高圧水蒸気室に充填し、（８）タービン室開閉弁を通り（９）タービン室に高圧蒸気が送られ（２７）タービン羽が回転する事で連動する（３２）発電機が追従して電気が生産される、発電された電気は（１９）連結管内の（１８）送電管にて地上の変圧器設備に送られ送電される、連結管内の各管の内訳は（１２）給水管は（１５）複水室及び（２）水室に給水をする、（３８）空調管は（９）タービン室（１６）制御室（１３）発電機室と高圧水蒸気室に空調する、送電管は電気を変圧設備に送る送電管と、カプセル内の制御機能を実行する（４０）給電管の電力は外部より給電する、（３）給水開閉弁は水室の水が不足時に補充する、（６）過圧蒸気開放弁は高圧水蒸気室の過圧異常時に外部放出する弁、（１０）タービン蒸気過圧弁はタービン内で過圧異常時のみ外部に放出する、（８）タービン室開閉弁は稼動時は開閉調節しつつ高圧蒸気がタービンに流入する、（５）細管開放弁は単動で蒸気調節をしながら（７）高圧水蒸気室に放出する、（２５）沸騰過圧開放弁は（２３）細管が異常負荷過圧時に外部放出の調整弁、
【課題を解決するための手段】
【０００５】（２１）帳壁は水室と高圧水蒸気室に離反する、（２６）帳壁は高圧水蒸気室とタービン室に離反する、（３０）帳壁はタービン室と発電機室に離反する、（３４）帳壁は発電機室と複水室に離反する、複水室と制御室は仕切り壁を設ける、（１７）末端壁は（１９）連結管が接続する、（２０）インコネル外壁は、タングステン材質などの融点度の高い材質設定で（１，２８，３５）マグマ熱測定センサーは外部熱を感知し、（１）マグマ熱測定センサーはマグマと接近するためマグマ熱の測定と火口山頂からのモニターと複合解析の基でカプセル本体の昇降決定が成される、末端壁に絞止された数本の（３９）鋼索は耐酸化性耐熱性の強い材質が好ましい（例ステンレス材質）の鋼索で火口山頂の［図４］の掘削巻き上げ機に巻き付けた後に［図５］の麓側に軌道設備したバスケット荷重トロッコの設置これに鋼索を絞止する、この天秤作用にはカプセルの落下防止策と緊急上昇を想定したもので、バケット内の荷重物の増減により成り立ち掘削機の巻上げ負荷の軽減になる、カプセルとトロッコが均衡時はトロッコのブレーキ脱輪止めの停止策をとる、山頂で始めにカプセル本体を組む時は各部室ごとに鋼索絞止し組みたて降下する、マグマ熱源に水室部を挿設し、カプセル外壁は二層構造で外周壁は耐熱鋼材を考え、ハイス、タングステン、インコネル、その他（耐酸化性、耐食性の優れた）材質を選択する、カプセル下先端部の水室と細管で発生させた水蒸気を高圧水蒸気室に充填後に熱蒸気をタービン室に送るとタービンが回転し連動する発電機が追従することで発電され、電気は連結管内の送電管で地上の変圧器設備に送電される。【０００６】カプセルの昇降操作はマグマ熱測定センサーと、カプセルの内設カメラと頂上監視カメラでのモニター解析管理のもとに適正位置まで昇降操作する、カプセル本体と連結管の総重量で、マグマの凝固表層を破砕するが、破砕不能時は頂上の掘削機のトリコンビットで凝固部の掘削をする、過圧蒸気開放弁より末端壁のカプセル内壁は断熱材を設け、他に断熱効果が有る物も検討する、カプセル底の接地面の左右斜めに、キールを設けて（ヨット用語のダブルキール形態）カプセルの平行性を保つため、バケット内の荷重物は（土、岩石、溶岩、水槽壁を設け複水の循環水応用）など微動の昇降操作は火口頂上の掘削巻き上げ機で操作する。
【考案の効果】
【０００７】マグマ熱源を利用するため、電力生産コストが安価である、太陽光発電、風力発電と異なり、常時稼動でき稼働率が良い、水力発電、火力発電、原子力発電に比べて初期投資が安価で、活火山の大小で設備規模の対応に対処し易い、このシステムは近年のエコロジーに適し、万が一の大噴火の際も全設備が破壊しても、火山が沈静化すれば設備の再建は易く、原子力の様な多面に及ぶ悲惨な状況に成らない、火山噴火予知の最新情報と適切避難情報が得られ、火山孤島にも新規地場産業の機会が生まれ隣島に送電が出来る、日本の新分野産業として世界進出も成り得る。
【考案を実施するための形態】
【０００８】以下考案の実施形態を説明する。
？／８５箇所の火山活動のマグマ熱を利用する発電設備である、カプセルの作用部分は帳壁ごとに離反する、カプセル外壁は耐熱材質の融点の高い材質を設ける、過圧蒸気開放弁より端末壁までの内壁は断熱保護材を内設する、カプセル壁の離反する部室順に、下から（２）水室はマグマ熱で過熱水になる，（７）高圧水蒸気室は（２３）細管からの加圧蒸気が充填される、（２７）タービン羽は加圧蒸気で回転起動する（３２）発電機は、追従起動され発電され、（１５）復水室はタービン帰水を回収冷却する（２）水室の給水は複水室からと山頂循環水から補充、（１６）制御室は各種設備機器を作動制御する、（３８）空調管は、山頂からの清浄機を通したものを送管循環する、安定的マグマは２００°〜１０００°の許容範囲とし先端外壁材質の高耐熱鋼材を選択、（例、高硬度鋼ハイス、タングステン、インコネル）
【図面の簡単な説明】
【０００９】図の尺度はフリーサイズとします、
【図１】は、カプセル内の設備の配設を示す平面図です、
【図２】は、各種弁と配管の配置図です、
【図３】は、後背面カプセルとキールの斜視図［３−１図］絞止部とガイドレール図、
【図４】は、山頂の掘削機と左巻上げ機の拡大斜視図（左右対称）です、
【図５】は、バケット荷重トロッコとレールの斜視図です、
【図６】は、カプセル先端部の水室の斜視図です、
【図７】は、カプセル内、高圧水蒸気室の斜視図です、
【図８】は、カプセルのタービン室の斜視図です、
【図９】は、カプセル内発電機室の斜視図です。
【図１０】は、カプセルの複水室と制御室の斜視図です、
【図１１】は、山頂からの概貌山頂断面図です、
【符合の説明】
【００１０】（１．２８．３５）マグマ熱測定センサーは常時に地熱の測定を行う、
（１１）断熱材は、（６）過圧蒸気開放弁から末端壁に内設に断熱材を設ける、
（１７）末端壁は、（１９）連結管と鋼索絞止部を設ける、
（１９）連結管は、管内の内配に（１２）給水管、（１８）送電管、（４０）給電管（３８）空調管（４１）空水排管は（カプセル内の空気と排水の管）などが配設される、
（２９）タービン軸は、タービン羽、軸受、伝動歯車が取り付く、
（２１．２６．３０．３４）帳壁は、個々に気密性を保持される、
【符合の説明】
【００１１】［図２］は、各種弁及び配管の説明をします。
（３）給水開閉弁は、水室の水量を調節する弁、
（２２）熱水調節弁は、水室の沸騰状況に応じて調節する弁、
（６）過圧蒸気開放弁は、高圧水蒸気室の過圧異常時に開閉する弁、
（８）タービン室開閉弁は、高圧水蒸気室の気圧を調節しながら開閉する弁、
（１０）タービン蒸気過圧弁は、タービン室の異常時に開閉する弁、
（２５）沸騰過圧開放弁は、水室の異常時に細管室の圧力を開放する弁、
（１２）給水管は、複水室から水室に行く管と、山頂から複水室に給水する、
（３３）複水管は、タービン室から複水室に帰水する管、
（３６）給水管も、１２．給水管と移設の同設管、
（４０）給電管は、制御室の実行起動電力を外部より入力管、
（３８）空調管は、カプセルの水室をのぞく部室の用途に応じた空調をする、
（４１）空水俳管は、カプセル内の排気、排水の管です、
【手続補正４】
【補正対象書類名】図面
【補正対象項目名】全図
【補正方法】変更
【補正の内容】
【図１】
0003173420.tif 000006
【図２】
0003173420.tif 000007
【図３】
0003173420.tif 000008
【図４】
0003173420.tif 000009
【図５】
0003173420.tif 000010
【図６】
0003173420.tif 000011
【図７】
0003173420.tif 000012
【図８】
0003173420.tif 000013
【図９】
0003173420.tif 000014
【図１０】
0003173420.tif 000015
【図１１】
0003173420.tif 000016
【手続補正書】
【提出日】平成23年11月2日(2011.11.2)
【手続補正１】
【補正対象書類名】実用新案登録請求の範囲
【補正対象項目名】全文
【補正方法】変更
【補正の内容】
【実用新案登録請求の範囲】
【請求項１】
先端部に水室を設けるとともに、タービン及び発電機を内設したカプセルをマグマ溜まりに挿設し、マグマ熱で生産された圧力蒸気を前記タービンに送り、タービンと連動する前記発電機にて電気を生産するマグマ発電機と、山頂に設置する掘削巻き上げ機を支点とし麓側傾斜地に軌道設備するバケット荷重トロッコと、前記のカプセルを鋼索連結し天秤作用で、カプセル昇降移動時の前記掘削巻き上げ機の力量を軽減助勢するマグマ発電システム。
【手続補正２】
【補正対象書類名】明細書
【補正対象項目名】全文
【補正方法】変更
【補正の内容】
【考案の詳細な説明】
【技術分野】
【０００１】活火山のマグマ熱でタービン発電をする発電設備である。
【背景技術】
【０００２】従来は、水力発電、火力発電、原子力発電、太陽光発電、風力発電、地熱発電、海流発電、バイオマス発電の技術がある。
【考案の概要】
【考案が解決しようとする課題】
【０００３】安価な原価発電の追求と原子力発電の補足開発を目的とする課題。
【課題を解決するための手段】
【０００４】融解温度（２００°〜１０００°範囲のマグマ熱）に、カプセル先端部の（２）水室をマグマ溜まりに挿設すると高熱水ができ、細管部にもマグマ熱が伝り細管より噴出する熱水蒸気を（７）高圧水蒸気室に充填し、（８）タービン室開閉弁を通り（９）タービン室に高圧蒸気が送られ（２７）タービン羽が回転する事で連動する（３２）発電機が追従して電気が生産される、発電された電気は（１９）連結管内の（１８）送電管にて地上の変圧器設備に送られ送電される、連結管内の各管の内訳は（１２）給水管は（１５）複水室及び（２）水室に給水をする、（３８）空調管は（９）タービン室（１６）制御室（１３）発電機室と高圧水蒸気室に空調する、送電管は電気を変圧設備に送る送電管と、カプセル内の制御機能を実行する（４０）給電管の電力は外部より給電する、（３）給水開閉弁は水室の水が不足時に補充する、（６）過圧蒸気開放弁は高圧水蒸気室の過圧異常時に外部放出する弁、（１０）タービン蒸気過圧弁はタービン内で過圧異常時のみ外部に放出する、（８）タービン室開閉弁は稼動時は開閉調節しつつ高圧蒸気がタービンに流入する、（５）細管開放弁は単動で蒸気調節をしながら（７）高圧水蒸気室に放出する、（２５）沸騰過圧開放弁は（２３）細管が異常負荷過圧時に外部放出の調整弁、
【課題を解決するための手段】
【０００５】（２１）帳壁は水室と高圧水蒸気室に離反する、（２６）帳壁は高圧水蒸気室とタービン室に離反する、（３０）帳壁はタービン室と発電機室に離反する、（３４）帳壁は発電機室と複水室に離反する、複水室と制御室は仕切り壁を設ける、（１７）末端壁は（１９）連結管が接続する、（２０）インコネル外壁は、タングステン材質などの融点度の高い材質設定で（１，２８，３５）マグマ熱測定センサーは外部熱を感知し、（１）マグマ熱測定センサーはマグマと接近するためマグマ熱の測定と火口山頂からのモニターと複合解析の基でカプセル本体の昇降決定が成される、末端壁に絞止された数本の（３９）鋼索は耐酸化性耐熱性の強い材質が好ましい（例ステンレス材質）の鋼索で火口山頂の［図４］の掘削巻き上げ機に巻き付けた後に［図５］の麓側に軌道設備したバスケット荷重トロッコの設置これに鋼索を絞止する、この天秤作用にはカプセルの落下防止策と緊急上昇を想定したもので、バケット内の荷重物の増減により成り立ち掘削機の巻上げ負荷の軽減になる、カプセルとトロッコが均衡時はトロッコのブレーキ脱輪止めの停止策をとる、山頂で始めにカプセル本体を組む時は各部室ごとに鋼索絞止し組みたて降下する、マグマ熱源に水室部を挿設し、カプセル外壁は二層構造で外周壁は耐熱鋼材を考え、ハイス、タングステン、インコネル、その他（耐酸化性、耐食性の優れた）材質を選択する、カプセル下先端部の水室と細管で発生させた水蒸気を高圧水蒸気室に充填後に熱蒸気をタービン室に送るとタービンが回転し連動する発電機が追従することで発電され、電気は連結管内の送電管で地上の変圧器設備に送電される。【０００６】カプセルの昇降操作はマグマ熱測定センサーと、カプセルの内設カメラと頂上監視カメラでのモニター解析管理のもとに適正位置まで昇降操作する、カプセル本体と連結管の総重量で、マグマの凝固表層を破砕するが、破砕不能時は頂上の掘削機のトリコンビットで凝固部の掘削をする、過圧蒸気開放弁より末端壁のカプセル内壁は断熱材を設け、他に断熱効果が有る物も検討する、カプセル底の接地面の左右斜めに、キールを設けて（ヨット用語のダブルキール形態）カプセルの平行性を保つため、バケット内の荷重物は（土、岩石、溶岩、水槽壁を設け複水の循環水応用）など微動の昇降操作は火口頂上の掘削巻き上げ機で操作する。
【考案の効果】
【０００７】マグマ熱源を利用するため、電力生産コストが安価である、太陽光発電、風力発電と異なり、常時稼動でき稼働率が良い、水力発電、火力発電、原子力発電に比べて初期投資が安価で、活火山の大小で設備規模の対応に対処し易い、このシステムは近年のエコロジーに適し、万が一の大噴火の際も全設備が破壊しても、火山が沈静化すれば設備の再建は易く、原子力の様な多面に及ぶ悲惨な状況に成らない、火山噴火予知の最新情報と適切避難情報が得られ、火山孤島にも新規地場産業の機会が生まれ隣島に送電が出来る、新分野産業と成り得る。
【考案を実施するための形態】
【０００８】以下考案の実施形態を説明する。
火山活動のマグマ熱を利用する発電設備である、カプセル内の作用部分は帳壁ごとに離反する、カプセル外壁は耐熱材質の融点の高い材質を設ける、過圧蒸気開放弁より端末壁までの内壁は断熱保護材を内設する、カプセル壁の離反する部室順に、下から（２）水室はマグマ熱で過熱水になる，（７）高圧水蒸気室は（２３）細管からの加圧蒸気が充填される、（２７）タービン羽は加圧蒸気で回転起動する（３２）発電機は、追従起動され発電され、（１５）復水室はタービン帰水を回収冷却する（２）水室の給水は複水室からと山頂循環水から補充、（１６）制御室は各種設備機器を作動制御する、（３８）空調管は、山頂からの清浄機を通したものを送管循環する、安定的マグマは２００°〜１０００°の許容範囲とし先端外壁材質の高耐熱鋼材を選択、（例、高硬度鋼ハイス、タングステン、インコネル）
【図面の簡単な説明】
【０００９】図の尺度はフリーサイズとします、
【図１】は、カプセル内、設備の配設を示す平面図です、
【図２】は、各種弁と配管の、配置図です、
【図３】は、後背面カプセルとキールの、斜視図［３−１図］絞止部とガイドレール図、
【図４】は、山頂の掘削機と左巻上げ機の、拡大斜視図（左右対称）です、
【図５】は、バケット荷重トロッコとレールの、斜視図です、
【図６】は、カプセル先端部、水室の斜視図です、
【図７】は、カプセル内、高圧水蒸気室の斜視図です、
【図８】は、カプセル内、タービン室の斜視図です、
【図９】は、カプセル内、発電機室の斜視図です。
【図１０】は、カプセル内、複水室と制御室の斜視図です、
【図１１】は、山頂からの、概貌山頂断面図です、
【符合の説明】
【００１０】（１．２８．３５）マグマ熱測定センサーは常時に地熱の測定を行う、
（１１）断熱材は、（６）過圧蒸気開放弁から末端壁に断熱材を内設ける、
（１７）末端壁は、（１９）連結管と鋼索絞止部を設ける、
（１９）連結管は、管の内設に（１２）給水管、（１８）送電管、（４０）給電管（３８）空調管
（４１）空水排管は（カプセル内の空気と排水の管）などが配設される、
（２９）タービン軸は、タービン羽、軸受、伝動歯車が取り付く、
（２１．２６．３０．３４）帳壁は、個々に気密性を保持される、
【符合の説明】
【００１１】［図２］は、各種弁及び配管の説明をします。
（３）給水開閉弁は、水室の水量を調節する弁、
（２２）熱水調節弁は、水室の沸騰状況に応じて調節する弁、
（６）過圧蒸気開放弁は、高圧水蒸気室の過圧異常時に開閉する弁、
（８）タービン室開閉弁は、高圧水蒸気室の気圧を調節しながら開閉する弁、
（１０）タービン蒸気過圧弁は、タービン室の異常時に開閉する弁、
（２５）沸騰過圧開放弁は、水室の異常時に細管室の圧力を開放する弁、
（１２）給水管は、複水室から水室に行く管と、山頂から複水室に給水する管、
（３３）複水管は、タービン室から複水室に帰水する管、
（３６）給水管も、１２．給水管と移設の同種の管、
（４０）給電管は、制御室の初期実行起動電力を外部より入力する管、
（３８）空調管は、水室をのぞく各部室の用途に応じた空調をする管、
（４１）カプセル内の排気、排水をする管、